(57)【要約】【課題】無駄な記憶容量を無くして地域情報の要求に対する処理の負荷分散を行うことができ、利用者がいる地域または指定した地域に特化した地域情報を提供することができる情報提供装置を提供すること。【解決手段】  各地域に点在する基地局装置１０とネットワーク９を介して通信する有線通信部１２と、携帯電話機２０から指定された範囲の中にある基地局装置１０それぞれが保持する地域情報を収集する地域情報収集部１８と、地域情報収集部１８によって収集された基地局装置１０それぞれの地域情報を携帯電話機２０に提供する地域情報提供部１９とを備えて構成する。【選択図】図３
2014068395.tif 000002
【特許請求の範囲】
【請求項１】
各地域に存在する情報出力装置とネットワークを介して通信する通信部と、
通信端末と無線通信する無線通信部と、
地域情報を保持するデータベースと、
前記データベースおよび前記情報出力装置が保持する地域情報を収集する地域情報収集部と、
前記地域情報収集部によって収集された地域情報を、前記無線通信部と通信する通信端末に提供する情報提供部と
を備えた基地局装置。
【請求項２】
前記地域情報は、静止画または動画のデータであって、
前記データベースは、静止画または動画のデータを保持し、前記情報提供部は、保持された静止画または動画のデータを、前記無線通信部と通信する通信端末に提供する請求項１に記載の基地局装置。
【請求項３】
制御部と、
データベースと、
各地域に存在する情報出力装置とネットワークを介して通信する通信部と、
通信端末と無線通信する無線通信部とを備えた基地局装置の制御方法において、
前記データベースおよび前記情報出力装置が保持する地域情報を収集するステップと、
収集された地域情報を、前記無線通信部と通信する通信端末に提供するステップとを備えた基地局装置の制御方法。
【発明の詳細な説明】
【技術分野】
【０００１】
本発明は、地域に関する地域情報を提供する情報提供装置および基地局装置に関する。
【背景技術】
【０００２】
従来、インターネットで提供されている掲示板のうち、特定の地域に関する地域情報を掲示する掲示板があって、その地域に住んでいる利用者等が、特定の地域に関する地域情報を掲示板に書き込むと、書き込んだ地域情報が、掲示板を提供するサーバに蓄積される。サーバに蓄積された地域情報は、掲示板を介して不特定多数の利用者に提供される。
【０００３】
また、インターネット上の最近のポータルサイトでは、地図と連携して地域に関する地域情報を利用者に提供するサービスが充実している。例えば、インターネットの利用者が、その地図上の特定の位置にある飲食店に対して、この飲食店に関する情報を入力し、他の利用者が、地図上のその位置を表示したとき、または、地図上のその位置をクリックしたとき、入力されたその飲食店に関する情報が表示されるといったサービスが提供されている。
【０００４】
この種のサービスを提供する無線通信システムでは、地域情報などを情報センタへ送信すると共に情報センタからの情報を取得する各移動端末と、移動端末の位置を表す位置情報を移動端末から受信し、受信した位置情報に基づいて、蓄積されている情報を検索し、検索された情報を移動端末に送信する情報センタとを備えたものが知られている（例えば特許文献１参照）。
【０００５】
また、以下に、図面を用いて詳細に説明する。図１０に示す無線通信システムでは、基地局装置９０ａ、基地局装置９０ｂ、および情報センタ８０がネットワーク９に接続されている。例えば、携帯電話機２０ａから投稿された地域情報（ネットワーク９に接続されたコンピュータ等から転送された地域情報でもよい）は、基地局装置９０ａを介して情報センタ８０にアップロードされる。携帯電話機２０ａだけではなく様々な携帯電話機２０から地域情報が投稿され、投稿された地域情報は情報センタ８０で保持されて管理される。
【０００６】
地域情報を参照したい場合には、例えば、携帯電話機２０ｂは、基地局装置９０ｂを介して携帯電話機２０ｂの現在位置に対応する地域情報を情報センタ８０に要求し、基地局装置９０ｂを介して、対象の地域情報が情報センタ８０から携帯電話機２０ｂにダウンロードされる。このように、地域情報は、情報センタ８０で一括管理され携帯電話機２０に配信されている。
【先行技術文献】
【特許文献】
【０００７】
【特許文献１】特開平１０−０１３９６１号公報
【発明の概要】
【発明が解決しようとする課題】
【０００８】
しかしながら、上述した従来の無線通信システムでは、情報センタ８０で情報を一括管理しているため、携帯電話機２０の現在位置と関係のない地域に関する地域情報を保持する必要があり、その分無駄な記憶容量を用意する必要があった。また、地域情報の要求が情報センタ８０に集中してしまうため、従来の無線通信システムでは地域情報の要求に対する処理の負荷分散ができないといった問題があった。
【０００９】
そこで、本発明は、従来の問題を解決するためになされたもので、無駄な記憶容量を無くして地域情報の要求に対する処理の負荷分散を行うことができる情報提供装置、基地局装置、および機器管理サーバを提供することを目的とする。
【課題を解決するための手段】
【００１０】
本発明の基地局装置は、各地域に存在する情報出力装置とネットワークを介して通信する通信部と、通信端末と無線通信する無線通信部と、地域情報を保持するデータベースと、前記データベースおよび前記情報出力装置が保持する地域情報を収集する地域情報収集部と、前記地域情報収集部によって収集された地域情報を、前記無線通信部と通信する通信端末に提供する情報提供部とを備えた構成を有している。
【００１１】
この構成により、点在する基地局装置で地域情報が管理されており、基地局装置は、基地局装置それぞれが保持する地域情報を通信端末に提供するため、一括で地域情報を管理する情報センタと比較すれば、無駄な記憶容量を無くして地域情報の要求に対する処理の負荷分散を行うことができ、利用者がいる地域または指定した地域に特化した地域情報を提供することができる。
【００１２】
また、本発明の基地局装置において、前記地域情報は、静止画または動画のデータであって、前記データベースは、静止画または動画のデータを保持し、前記情報提供部は、保持された静止画または動画のデータを、前記無線通信部と通信する通信端末に提供する構成を有している。
【００１３】
本発明の基地局装置の制御方法は、制御部と、データベースと、各地域に存在する情報出力装置とネットワークを介して通信する通信部と、通信端末と無線通信する無線通信部とを備えた基地局装置の制御方法において、前記データベースおよび前記情報出力装置が保持する地域情報を収集するステップと、収集された地域情報を、前記無線通信部と通信する通信端末に提供するステップとを備えた構成を有している。
【発明の効果】
【００１４】
本発明は、無駄な記憶容量を無くして地域情報の要求に対する処理の負荷分散を行うことができ、利用者がいる地域または指定した地域に特化した地域情報を提供することができる情報提供装置、基地局装置、および機器管理サーバを提供するものである。
【図面の簡単な説明】
【００１５】
【図１】本実施例に係る無線通信システムの構成図である。
【図２】本実施例に係る基地局装置の配置に関するイメージ図である。
【図３】本実施例に係る基地局装置のブロック図である。
【図４】投稿された地域情報の内容の内容を表す図である。
【図５】本実施例に係る機器管理サーバのブロック図である。
【図６】基地局に関する基地局情報の内容を表す図である。
【図７】本実施例に係る基地局装置および携帯電話機の動作例（地域情報の投稿の動作例）を示すシーケンス図である。
【図８】本実施例に係る基地局装置、携帯電話機、および機器管理サーバの動作例（地域情報の提供の動作例）を示すシーケンス図である。
【図９】基準位置から近い順に並べられた地域情報が利用者に提供される際のイメージ図である。
【図１０】従来の無線通信システムの構成図である。
【発明を実施するための形態】
【００１６】
以下、本発明の実施の形態について、図面を参照して説明する。
【００１７】
図１は、本実施例に係る無線通信システムの構成図である。図１に示した無線通信システムでは、複数の基地局装置１０および機器管理サーバ３０がネットワーク９に接続されている。まず、図１に示した基地局装置１０および機器管理サーバ３０の概略について説明し、次に、それらの詳細な構成について説明する。基地局装置１０は、本発明の情報提供装置、情報出力装置、または基地局装置の１つの実施例として示している。
【００１８】
基地局装置１０は、携帯電話機２０と無線通信を行って、携帯電話機２０同士または携帯電話機２０と各種サーバとを通信させるものである。基地局装置１０は、各地域に点在してあり、ＰＨＳの基地局装置１０であれば、例えば数百メートルの距離を隔てて都市部の様々な場所に配置されている。
【００１９】
なお、基地局装置１０のそれぞれを区別する場合には、基地局装置１０−１、基地局装置１０−２、・・・、基地局装置１０−ｎ（ｎは自然数）と記載し、それぞれを区別しない場合には、基地局装置１０と記載する。携帯電話機２０のそれぞれを区別する場合には、携帯電話機２０ａ、２０ｂと記載し、携帯電話機のそれぞれを区別しない場合には、携帯電話機２０と記載する。
【００２０】
基地局装置１０の配置に関するイメージ図を図２に示す。図２に示すように、基地局装置１０−１から基地局装置１０−７までが点在している。基地局装置１０は、等間隔に配置されている訳ではなく、携帯電話機２０と無線通信を行う上で適切な場所に設置されている。図２では、基地局装置１０を７つ図示しているが、実際には、それよりも多数あると想定される。
【００２１】
本実施例では、ネットワーク９をＩＰ（Internet Protocol）に準拠したネットワークとして説明する。機器管理サーバ３０は、基地局装置１０に関する情報を管理するものであり、基地局装置１０の識別子、位置情報、設置地名、ＩＰアドレスのそれぞれを対応させて管理している。
【００２２】
図３は、本実施例に係る基地局装置のブロック図である。基地局装置１０は、無線通信部１１、有線通信部１２、データベース１３、操作入力部１４、および制御部１５を有している。
【００２３】
無線通信部１１は、送信部および受信部によって構成され、携帯電話機２０と通信するためのアンテナ（図示していない）から無線信号を送受信するものである。また、無線通信部１１の送信部は、制御部１５から出力された信号を変調し、変調された信号を送信し、無線通信部１１の受信部は、信号を受信した場合、その信号を復調処理して制御部１５に出力するものである。
【００２４】
有線通信部１２（通信部）は、各地域に点在する情報出力装置とネットワーク９を介して通信するものであり、例えばネットワークインタフェースによって構成される。情報出力装置としては、基地局装置１０であったり、都市部の各地域に設置されている定点カメラ機器などであるが、本実施例では主に情報出力装置を基地局装置１０として説明する。
【００２５】
データベース１３は、地域に関する地域情報を保持するものであり、記憶装置によって構成される。例えば、データベース１３が保持する情報としては、図４に示すように、投稿者、投稿時刻、地域情報の種別、地域情報の内容のそれぞれを対応させたものが保持されている。
【００２６】
操作入力部１４は、テンキーなどから構成され、利用者によって操作されたものを入力するものであり、入力された情報は制御部１５に出力される。
【００２７】
制御部１５は、例えばプログラムを実行するＣＰＵ、ＲＯＭ、ＲＡＭなどによって構成され、地域情報受付部１６、指定範囲受付部１７、地域情報収集部１８、および地域情報提供部１９によって構成される。これらの部材は、プログラムのモジュールなどでもよい。
【００２８】
地域情報受付部１６は、利用者が携帯電話機２０を用いて投稿した地域情報を無線通信部１１を介して受付け、受付けた地域情報をデータベース１３に保持させるようになっている。また、地域情報受付部１６は、地域情報を無線通信部１１を介して受付けるとしたが、有線通信部１２または操作入力部１４を介して受付けてもよい。
【００２９】
指定範囲受付部１７は、利用者によって携帯電話機２０から指定された範囲を受付けるようになっている。本実施例では、指定された範囲は、受付けた基地局装置１０の位置を基準位置とし、基準位置を中心とした半径の距離内にある範囲である。例えば、図２に示すように、利用者が半径を指定して基地局装置１０−１が指定された範囲を受付けたとき、その範囲は、受付けた基地局装置１０−１の位置を基準位置とし、基準位置を中心とした半径の距離内にある範囲となる。
【００３０】
また、指定された範囲は、携帯電話機２０の位置を基準位置とし、基準位置を中心とした半径の距離内にある範囲であってもよいし、携帯電話機２０で指定された基準位置を中心とした半径の距離内にある範囲であってもよい。また、指定範囲受付部１７は、携帯電話機２０から指定された範囲を受付けるとしたが、携帯電話機２０に替えて、有線通信部１２と通信する通信端末（例えばパソコン）でもよい。
【００３１】
地域情報収集部１８は、携帯電話機２０（通信端末）から指定された範囲の中にある基地局装置１０（定点カメラ機器またはその他でもよい）のリストを機器管理サーバ３０から取得するようになっている。また、基地局装置１０は、自身の周囲にある基地局装置１０に関する基地局情報を予め有しているならば、地域情報収集部１８は、この基地局情報に基づいて、自身の基地局装置１０の位置を中心とした半径の距離内にある範囲の基地局装置１０のリストを作成するようにしてもよい。
【００３２】
例えば、図２に示すように、指定された半径に基づく範囲を基地局装置１０−１が受付けたとき、地域情報収集部１８は、基地局装置１０−１の位置を中心とした半径の距離内にある基地局装置１０−４、基地局装置１０−５を基地局装置１０のリストとして取得する。
【００３３】
また、地域情報収集部１８は、上述したリストにある基地局装置１０のＩＰアドレスを用いて基地局装置１０それぞれが保持する地域情報を有線通信部１２を介して収集するようになっている。例えば、地域情報収集部１８は、リストにあるＩＰアドレスの基地局装置１０に対し地域情報の要求を表す信号を送信することでリストにある基地局装置１０から地域情報を収集する。
【００３４】
地域情報提供部１９は、地域情報収集部１８によって収集された基地局装置１０それぞれの地域情報と共に自身が保持している地域情報（データベース１３から取得した地域情報）を、指定された範囲を受付けたときの携帯電話機２０（通信端末）に提供するようになっている。
【００３５】
また、地域情報提供部１９は、収集された地域情報を、基準位置との距離が短い基地局装置１０の順に並べるか、または、収集された時点で基準位置との距離が短い基地局装置１０の順に既に並べられておりその順で地域情報を携帯電話機２０（通信端末）に提供するようにしてもよい。このようにすれば、利用者は、自分の位置から近い順に地域情報を参照することができ、基地局装置１０は、利用者に利便性を与えることができる。
【００３６】
図９は、基準位置から近い順に並べられた地域情報が利用者に提供される際のイメージ図である。図９では、図２で示したように基地局装置１０が配置された場合で、基地局装置１０−１の位置を基準位置としており、指定された範囲にある自身の基地局装置１０−１、基地局装置１０−４、および基地局装置１０−５の中で、基地局装置１０−１、基地局装置１０−５、基地局装置１０−４の順で基準位置に近いため、この順で基地局装置１０から収集された地域情報が並べられている。なお、図９に示した場合では、基地局装置１０−１および基地局装置１０−５は、同じＡ地区に設置されており、基地局装置１０−４は、Ｂ地区に設置されている。
【００３７】
また、他の基地局装置１０が周囲にある基地局装置１０の地域情報を収集する場合では、他の基地局装置１０から地域情報の収集要求があるため、制御部１５は、データベース１３から取得した地域情報を、収集要求のあった基地局装置１０に出力する。
【００３８】
図５は、本実施例に係る機器管理サーバのブロック図である。機器管理サーバ３０は、有線通信部３２、データベース３３、操作入力部３４、表示部３５、および制御部３６を有している。
【００３９】
有線通信部３２は、各地域に点在する基地局装置１０とネットワーク９を介して通信するものであり、例えばネットワークインタフェースによって構成される。
【００４０】
データベース３３は、基地局に関する基地局情報を保持するものであり、記憶装置によって構成される。例えば、データベース３３が保持する情報としては、図６（Ａ）に示すように、基地局装置１０の識別子（ＩＤ）、ＩＰアドレス、位置情報、設置地名、のそれぞれを対応させた対応情報が保持されている。なお、位置情報には、基地局装置１０が設置されている位置を表す緯度経度などの情報である。
【００４１】
操作入力部３４は、キーなどから構成され、利用者によって操作されたものを入力するものであり、入力された情報は制御部３６に出力される。表示部３５は、液晶ディスプレイなどのディスプレイである。
【００４２】
制御部３６は、例えばプログラムを実行するＣＰＵ、ＲＯＭ、ＲＡＭなどによって構成され、指定範囲受付部３７、選択部３８、およびリスト作成部３９によって構成される。これらの部材は、プログラムのモジュールなどでもよい。
【００４３】
指定範囲受付部３７は、指定された範囲を基地局装置１０（情報提供装置）から受付けるようになっている。本実施例では、指定された範囲は、指定された範囲を受付けた基地局装置１０の位置を基準位置とし、基準位置を中心とした半径の距離内にある範囲であるため、指定範囲受付部３７は、具体例としては指定された範囲を受付けた基地局装置１０のＩＤおよび指定された半径を受け付ける。勿論、指定された範囲を受付けた基地局装置１０のＩＤに替えて、基準位置として携帯電話機２０の位置でもよいし、携帯電話機２０で指定された位置でもよい。
【００４４】
選択部３８は、指定範囲受付部３７が受付けた範囲の中にある基地局装置１０（情報出力装置）を図６に示した対応情報から選択するようになっている。具体例としては、図２に示すように、指定範囲受付部３７が、基準位置となる基地局装置１０−１の位置と共に、指定された半径に基づく範囲を受付けた場合、選択部３８は、基地局装置１０−１の位置を中心とした半径の距離内にある基地局装置１０−４、基地局装置１０−５を選択する。
【００４５】
リスト作成部３９は、選択部３８によって選択された基地局装置１０（情報出力装置）のアドレス（必要であれば設置地名なども）を基地局装置１０のリストとして作成し、要求した基地局装置１０（情報提供装置）に、基地局装置１０のリストを出力するようになっている。
【００４６】
また、リスト作成部３９は、リストを作成する際、基準位置と基地局装置１０の位置との距離が短い基地局装置１０の順に並べて要求した基地局装置１０（情報提供装置）に提供するようにしてもよい。なお、リスト作成部３９は、基準位置との距離を、対応情報にある基地局装置１０の位置から求める。
【００４７】
以上のように構成された基地局装置１０および機器管理サーバ３０の動作について図面を用いて説明する。図７は、基地局装置１０および携帯電話機２０の動作例（地域情報の投稿の動作例）を示すシーケンス図である。
【００４８】
まず、基地局装置１０の地域情報受付部１６は、利用者が携帯電話機２０を用いて投稿した地域情報を無線通信部１１を介して受付け、受付けた地域情報をデータベース１３に保持させる（ステップＳ１）。図７に示したように、地域情報がデータベース１３に保持されると、データベース１３は、図４で示した状態となる。
【００４９】
このように、それぞれの地域に設置されている基地局装置１０には、利用者が地域で良い飲食店を発見したことや地域で発生したイベントなど、地域に特化した様々な地域情報が多数の携帯電話機２０から投稿され、それぞれの基地局装置１０のデータベース１３に保持される。各基地局装置１０のデータベース１３に保持された地域情報は、地域に特化した投稿されているため、地域によってそれぞれ異なったものになる。
【００５０】
図８は、基地局装置１０、携帯電話機２０、および機器管理サーバ３０の動作例（地域情報の提供の動作例）を示すシーケンス図である。
【００５１】
図７に示したように、地域情報が各基地局装置１０のデータベース１３に保持された状態で、利用者が地域情報を参照したいと思い、利用者が携帯電話機２０に参照したい地域の範囲に係る情報（例えば通信している基地局装置１０の位置を基準位置とした半径など）を入力すると、携帯電話機２０がその範囲に係る情報を現在通信している基地局装置１０に送信する（ステップＳ１１）。
【００５２】
基地局装置１０の指定範囲受付部１７は、利用者によって携帯電話機２０から指定された範囲を受付け（ステップＳ１２）、地域情報収集部１８は、基地局装置１０のリストを取得するため、指定された範囲および自身の基地局装置１０のＩＤを機器管理サーバ３０に送信する（ステップＳ１３）。
【００５３】
次に、機器管理サーバ３０の指定範囲受付部３７は、指定された範囲および基地局装置１０のＩＤを受付け（ステップＳ１４）、選択部３８は、指定範囲受付部３７が受付けた範囲の中にある基地局装置１０を図６に示した対応情報から選択する（ステップＳ１５）。具体例としては、指定範囲受付部３７が受付けた基地局装置１０のＩＤが基地局装置１０−１を識別している場合、図２に示すように、選択部３８は、基地局装置１０−１の位置を中心とした半径の距離内にある基地局装置１０−４、基地局装置１０−５を選択する。
【００５４】
機器管理サーバ３０のリスト作成部３９は、選択部３８によって選択された基地局装置１０のアドレス（必要であれば設置地名なども）を基地局装置１０のリストとして作成し、要求した基地局装置１０に、基地局装置１０のリストを出力する（ステップＳ１６）。
【００５５】
次に、基地局装置１０の地域情報収集部１８は、取得した基地局装置１０のリストにある基地局装置１０それぞれが保持する地域情報を収集し（ステップＳ１７）、地域情報提供部１９は、地域情報収集部１８によって収集された基地局装置１０それぞれの地域情報と共に自身が保持している地域情報を、指定された範囲を受付けたときの携帯電話機２０（通信端末）に提供する（ステップＳ１８）。
【００５６】
以上説明したように、点在する基地局装置１０で地域情報が管理されており、基地局装置１０は、指定された範囲の中にある基地局装置１０それぞれが保持する地域情報を携帯電話機２０（通信端末）に提供するため、一括で地域情報を管理する情報センタと比較すれば、無駄な記憶容量を無くして地域情報の要求に対する処理の負荷分散を行うことができ、利用者がいる地域または指定した地域に特化した地域情報を提供することができる。
【００５７】
また、上述の情報出力装置を基地局装置１０として説明したが、定点カメラ機器と混合してもよい。この場合、情報出力装置に基地局装置、定点カメラ機器などの種別があることになる。情報出力装置が定点カメラ機器の場合は、地域情報としては、定点カメラ機器から得られた静止画または動画のデータになる。
【００５８】
情報出力装置に種別がある場合、図６で示した対応情報は、図６（Ｂ）に示すように、機器のＩＤ、機器が基地局か定点カメラかを表す種別（この２種類には限定しない）、ＩＰアドレス、位置情報、設置地名が対応したものでもよい。
【００５９】
携帯電話機２０（通信端末）から、指定された範囲と共に情報出力装置の種別が指定された場合、ステップＳ１５で、選択部３８は、指定範囲受付部３７が受付けた範囲の中にある情報出力装置を図６（Ｂ）に示した対応情報から選択する。ステップＳ１６で、リスト作成部３９は、選択された情報出力装置のアドレスや種別を含む情報出力装置のリストを作成する。ステップＳ１７で、基地局装置１０の地域情報収集部１８は、取得した情報出力装置のリストにある情報出力装置のうち、指定された種別に適合するものが保持する地域情報を収集する。このようにすれば、利用者が見たい地域の定点カメラ機器からの画像を見ることが可能となり、渋滞や災害などの地域に特化した画像を見ることができる。
【００６０】
また、地域情報には、買い物や飲食店の他に交通情報や天気情報などの種別があるが、地域情報の種別に対応して地域情報が収集されてもよい。
【００６１】
携帯電話機２０（通信端末）から範囲と共に地域情報の種別が指定された場合、ステップＳ１８で、地域情報提供部１９は、地域情報収集部１８によって収集された地域情報のうち、指定された地域情報の種別に該当する地域情報を、指定された範囲を受付けたときの携帯電話機２０（通信端末）に提供する。このようにすれば、利用者の嗜好に合わせた地域情報の提供が可能となる。また、指定された範囲が広く地域情報の数が大量にある場合でも、基地局装置１０は効率的に情報を絞り込むことができる。
【産業上の利用可能性】
【００６２】
本発明は、無駄な記憶容量を無くして地域情報の要求に対する処理の負荷分散を行うことができ、利用者がいる地域または指定した地域に特化した地域情報を提供することができる効果を有し、地域に関する地域情報を提供する情報提供装置、基地局装置、および機器管理サーバに幅広く有用である。
【符号の説明】
【００６３】
９  ネットワーク
１０、９０  基地局装置
１１  無線通信部
１２  有線通信部
１３  データベース
１４  操作入力部
１５  制御部
１６  地域情報受付部
１７  指定範囲受付部
１８  地域情報収集部
１９  地域情報提供部
２０  携帯電話機
３０  機器管理サーバ
３２  有線通信部
３３  データベース
３４  操作入力部
３５  表示部
３６  制御部
３７  指定範囲受付部
３８  選択部
３９  リスト作成部
８０  情報センタ
【図１】
2014068395.tif 000003
【図２】
2014068395.tif 000004
【図３】
2014068395.tif 000005
【図４】
2014068395.tif 000006
【図５】
2014068395.tif 000007
【図６】
2014068395.tif 000008
【図７】
2014068395.tif 000009
【図８】
2014068395.tif 000010
【図９】
2014068395.tif 000011
【図１０】
2014068395.tif 000012